(57)【特許請求の範囲】
【請求項１】
平鋼からなるブレース本体の両端側に一対の定着金具が結合され、鉄骨柱と鉄骨梁を骨組みとする鉄骨架構の矩形状架構面内に該矩形状架構面と平行に設けた一対のプレート部材に、それら定着金具を介して連結されるブレースであって、前記ブレース本体が、前記矩形状架構面に対してその弱軸面を垂直に向けた状態で配置されると共に、前記一対の定着金具が、前記ブレース本体の弱軸面を前記矩形状架構面に対して垂直状態に保持可能な一方の定着金具と、前記ブレース本体の張力調節が可能な他方の定着金具からなり、該他方の定着金具が、鍔状の工具掛止部の一端側と他端側に右ネジ部と左ネジ部を形成したボルト本体のそれぞれのネジ部に一方の雌ネジ部材と他方の雌ネジ部材を螺合し、工具掛止部を回転させることにより両方の雌ネジ部材を近接または離反させる張力調節部材と、この張力調節部材の一方の雌ネジ部材に他端側で挟持した状態で接合されるとともに、一端側にそれぞれ形成したピン孔と前記ブレース本体の他端側に形成したピン孔を一致した状態で挿通したブレース接合ピンにより該ブレース本体に接合される一対の平鋼からなる一方の挟持部材と、前記張力調節部材の他方の雌ネジ部材に一端側で挟持した状態で接合されるとともに、他端側にそれぞれ形成したピン孔と前記プレート部材の他方のピン孔を一致した状態で前記ブレース本体接合ピンと直交する方向に挿通したプレート接合ピンにより該プレート部材に接合される一対の平鋼からなる他方の挟持部材からなり、前記一対のプレート部材に対して、個々のプレート部材に形成されたピン孔を垂直方向に挿通するプレート接合ピンを介してそれぞれ接合されることを特徴とするブレース。
【請求項２】
前記一方の定着金具が、Ｕ字状に屈曲した平鋼からなり、屈曲部に跨って長手方向に延在する切溝に嵌入した前記プレート部材の一方のピン孔に対して屈曲部の内面側で挿通したプレート接合ピンにより該プレート部材に接合されるとともに、自由端部に挟まれた空間に挿入した前記ブレース本体の一端側にあるピン孔と自由端部のそれぞれに形成したピン孔を一致した状態で前記プレート接合ピンと直交する方向に挿通したブレース接合ピンにより該ブレース本体に接合されるものであることを特徴とする請求項１に記載のブレース。
【請求項３】
前記一対のプレート部材の少なくとも一方のピン孔が、前記ブレース本体の長手方向に向けて延びる長円状に形成されていることを特徴とする請求項１または２に記載のブレース。
【請求項４】
前記一対のプレート部材が、前記矩形状架構面の対角位置に設けられる一対のガセットプレートからなることを特徴とする請求項１ないし３のいずれか一項に記載のブレース。
【請求項５】
前記一対のプレート部材が、前記矩形状架構面の隅部に設けられるガセットプレートと、他のブレース材との連結に供される連結プレートからなることを特徴とする請求項１ないし４のいずれか一項に記載のブレース。
【発明の詳細な説明】
【技術分野】
【０００１】  本発明は、平鋼を用いた建築用のブレースに係り、特に地震時における圧縮力の影響を低減したブレースに関する。
【背景技術】
【０００２】  鉄骨ラーメンフレーム架構は、主要構造部材である鉄骨柱と鉄骨梁が剛接合されたもので、中小鉄骨建築物などに広く採用されている架構形式である。このような架構では、建物の耐震性を高めるため、鉄骨柱と鉄骨梁で囲まれた矩形状の架構面の対角位置にブレースを取り付けるのが一般的である。ブレースの構造形式として、一般にＸ形、Ｙ形、Ｚ形と呼ばれる形が多く用いられている。Ｘ形とＹ形は、柱と梁からなる１箇所の架構面内に、引張力が作用するブレース（引張ブレース）と圧縮力が作用するブレース（圧縮ブレース）とを共存させた２本のブレースで構成される。Ｚ形は、隣接する２箇所の架構面に対して傾斜方向が異なるブレースを１本ずつ設置し、個々のブレースに引張力と圧縮力を負担させ、交番で荷重を負担するものである。【０００３】  地震時において、上記のようにブレースに対して引張力と圧縮力がそれぞれ個別に交番応力として働くことから、ブレースを選定する際には、引張力に対する設計検討と圧縮力に対する設計検討を同時並行で行なう必要がある。引張力に対する設計検討は、ブレースの端部が結合される架構面側のガセットプレート等の接続金物とブレース本体を構成する各種軸材の引張強度の検討が主となる。圧縮力に対する設計検討は、引張力と同様な検討に加え、接続金物とブレース本体の座屈耐力の検討も必要となる。
圧縮ブレースにおいて、その座屈耐力が不十分であると、構造躯体の設計耐力に達する前の段階でブレースに座屈現象が生じ、それまでブレースが負担していた圧縮力が一気にゼロになり、構造躯体そのものの安全性も損なわれる。このようなことから、座屈耐力の検討は、十分に慎重な設計が要求されている。ブレースの圧縮力と座屈耐力の設計検討は、ブレース端部の固定条件、ブレースの長さ、ブレース本体の断面形状（断面半径）など検討条件が多数ある。
座屈耐力を高めるには、ブレース本体の外径と断面積を大きくすることが有効であるが、それに伴ってブレース端部に結合する接合金物（定着金具）やブレース本体（軸材）の鋼材重量が増え、さらにブレースが配設される構造面の開口部が狭くなるなど、非常に不経済な状態になる。【０００４】  ところで、引張型の建築用ブレースでは、主体部分を構成する軸材に丸鋼が広く使用されている。丸鋼以外の軸材として平鋼も使用されるが、その多くは補剛管内に収容された形態、あるいはコンクリート壁内にアンボンド状態で埋設されることにより、引張力と圧縮力の両方に対応する座屈拘束型のブレースでの適用であり、丸鋼に代わる引張型の軸材としての平鋼の使用例は限られている。
特許文献１に記載のものは、平鋼を用いた引張型ブレースの従来例であって、横向き（平鋼の弱軸面が架構面に対して垂直の方向）にした２枚の平鋼をＸ形に交差させ、その交差部を溶接した構造である。そして、平鋼の両端部分には、ガセットプレートとの固定による接合形式のための平板状の接合金物が複数本の高力ボルトを介して接合一体化されている。
【先行技術文献】
【特許文献】
【０００５】
【特許文献１】特開２０１３−２２１０号公報
【発明の概要】
【発明が解決しようとする課題】
【０００６】  上記従来例のブレースは、平鋼の端部に複数本の高力ボルトで連結した接合金物を、矩形状架構面の隅部に設けたガセットプレートに対して複数本の高力ボルトで結合する固定接合形式を採用している。このように、架構面に対してブレースを固定接合した場合には、軸材である平鋼が、地震時に引張力だけでなく大きな圧縮力も負担することになるので、設計が複雑になるといった問題点がある。
さらに、圧縮力の負担が続くと平鋼が面内方向に湾曲変形し、さらには座屈状態に至って急激な耐力低下を起こすことになるから、十分な強度を確保するために鋼材重量の増加が避けられないという問題点もある。また、２枚の平鋼がＸ形状に溶接一体化されているために嵩張り、輸送面でも改善の余地が残されている。【０００７】  本発明は、上記従来技術の課題を解決するために創出されたもので、地震時における圧縮力の影響を低減することにより、設計が容易で経済性等にも優れるブレースの提供を目的とするものである。
【課題を解決するための手段】
【０００８】
上記課題を解決するための手段として、本発明に係るブレースは、平鋼からなるブレース本体の両端側に一対の定着金具が結合され、鉄骨柱と鉄骨梁を骨組みとする鉄骨架構の矩形状架構面内に該矩形状架構面と平行に設けた一対のプレート部材に、それら定着金具を介して連結されるブレースにおいて、ブレース本体が、矩形状架構面に対してその弱軸面を垂直に向けた状態で配置されると共に、一対の定着金具が、ブレース本体の弱軸面を矩形状架構面に対して垂直状態に保持可能な一方の定着金具と、ブレース本体の張力調節が可能な他方の定着金具からなり、該他方の定着金具が、鍔状の工具掛止部の一端側と他端側に右ネジ部と左ネジ部を形成したボルト本体のそれぞれのネジ部に一方の雌ネジ部材と他方の雌ネジ部材を螺合し、工具掛止部を回転させることにより両方の雌ネジ部材を近接または離反させる張力調節部材と、この張力調節部材の一方の雌ネジ部材に他端側で挟持した状態で接合されるとともに、一端側にそれぞれ形成したピン孔とブレース本体の他端側に形成したピン孔を一致した状態で挿通したブレース接合ピンにより該ブレース本体に接合される一対の平鋼からなる一方の挟持部材と、張力調節部材の他方の雌ネジ部材に一端側で挟持した状態で接合されるとともに、他端側にそれぞれ形成したピン孔とプレート部材の他方のピン孔を一致した状態でブレース本体接合ピンと直交する方向に挿通したプレート接合ピンにより該プレート部材に接合される一対の平鋼からなる他方の挟持部材からなり、一対のプレート部材に対して、個々のプレート部材に形成されたピン孔を垂直方向に挿通するプレート接合ピンを介してそれぞれ接合されることを主たる構成として採用するものである。
なお、ブレース本体において、長方形状の横断面からなる平鋼の長辺側に相当する幅側の面を本発明では弱軸面と表示し、短辺側に相当する板厚面を強軸面と表示する。
【０００９】  上記構成において、構造躯体に対して地震による水平力が負荷されたとき、ブレースには長手方向に向けて引張力と圧縮力が交互に作用する。このとき、矩形状架構面内でガセットプレート等のプレート部材に定着金具とプレート接合ピンを介して連結されるブレースは、ブレース本体が引張力に対して両端のプレート接合ピン間で伸びようとするが、それに耐え得るような断面強度の平鋼が選定されている。
一方、両端のプレート接合ピン間の距離が縮む方向に作用する圧縮力に対しては、矩形状架構面にその弱軸面を垂直に向けた状態で配置される平鋼からなるブレース本体が弱軸面側で湾曲変形しようとする。この際、ブレース本体の両端側に位置するプレート接合ピンの挿通方向が、湾曲変形しようとするブレース本体の弱軸面と平行であるから、これらプレート接合ピンが回転軸となり、ブレース本体の湾曲変形を助長することになる。その結果、ブレース本体に働く圧縮力は、非常に小さな力となり、実質的に圧縮力を回避することができるのである。この場合、ブレース本体におけるＤ／ｔの値（Ｄ：平鋼の幅寸法、ｔ：平鋼の板厚）が大きくなるほどブレース本体が湾曲変形を起こしやすくなり、引張力のみを負担しながら圧縮力をほとんど負担しないブレースとなる。
上記のようなメカニズムの採用により、ブレース本体に使用する平鋼のサイズを小さくしてコストダウンを図ることができる。さらに、ブレース本体が湾曲変形する場合は、幅方向の面（弱軸面）が矩形状架構面に対し垂直に配置されていることにより、矩形状架構面内での変形となるから、ブレース本体の曲げ変形で建築物の外壁や内壁等を破壊する可能性も低くなる。
また、ブレースが設置される構造躯体面（矩形状架構面）は、平鋼の強軸面（板厚面）が正面となるので、圧縮ブレースや同じ断面をもつ形鋼などと比較して、開口面を広く確保することができる。【００１１】
さらに、上記構成によれば、ブレース本体の弱軸面を矩形状架構面に対して常に垂直状態に保持するとともに、一対のプレート部材間に一対の定着金具を介して架設したブレース本体の撓みや緩みをなくし、ブレース本体に引張軸力を生じさせることができる。
上記構成において、ボルト本体の両側に螺合する右ネジと左ネジからなる一対の雌ネジ部材に対して、それぞれ一対の平鋼からなる挟持部材が接合され、これらの挟持部材にガセットプレート等のプレート部材とブレース本体が、互いに直交するように接合ピンを介して結合される。そして、ボルト本体を回転させることにより、ブレースの撓みや緩みをなくし、ブレース本体に引張軸力を導入することができる。
【００１２】  本発明のさらに他の構成は、主たる構成において一方の定着金具が、Ｕ字状に屈曲した平鋼からなり、屈曲部に跨って長手方向に延在する切溝に嵌入したプレート部材の一方のピン孔に対して屈曲部の内面側で挿通したプレート接合ピンにより該プレート部材に接合されるとともに、自由端部に挟まれた空間に挿入したブレース本体の一端側にあるピン孔と自由端部のそれぞれに形成したピン孔を一致した状態でプレート接合ピンと直交する方向に挿通したブレース接合ピンにより該ブレース本体に接合されるものである【００１３】  上記構成によれば、一方の定着金具において、Ｕ字状の屈曲部に形成した平面視長方形状の切溝にガセットプレート等のプレート部材または平鋼からなるブレース本体のいずれか一方を挿入し、屈曲部とは反対側の自由端部に挟まれた空間に残りの部材を挿入してそれぞれ接合ピンで接合すると、プレート部材とブレース本体とは互いに直交状態となる。
ここで、プレート部材が矩形状架構面に対して平行に設置されるから、ブレース本体は、その弱軸面が矩形状架構面に対して垂直状態に保持されることになる。【００１６】  本発明のさらに他の構成は、主たる構成において一対のプレート部材の少なくとも一方のピン孔が、ブレース本体の長手方向に向けて延びる長円状に形成されるものである。【００１７】  上記構成によれば、他方の定着金具にある張力調節部材でブレース本体にあらかじめ張力を導入すると、ブレース体の軸上の両端にある接合ピンと接合ピンとの距離が最短となり、ガッセトプレート等のプレート部材に形成した長円状のピン孔には、ブレースの軸心に沿って接合ピンとは逆方向にクリアランスが生じる。このため、地震等でブレースに対して圧縮力が働くと、長円状貫通孔のクリアランス内で接合ピンが変位し、初期の圧縮力がブレース体に作用することを回避できる。【００１８】  本発明のさらに他の構成は、主たる構成において一対のプレート部材が、矩形状架構面の対角位置に設けられるガセットプレートからなるものである。この構成によれば、ブレース体の両端の定着金具をそれぞれ対角位置のガセットプレートに結合することにより、Ｚ形のブレース構造とすることができる。【００１９】  本発明のさらに他の構成は、主たる構成において一対のプレート部材が、矩形状架構面の隅部に設けられるガセットプレートと、他のブレースとの連結に供される連結プレートからなるものである。この構成によれば、Ｘ形のブレース構造とすることができる。
【発明の効果】
【００２０】  本発明に係るブレースでは、上記構成を採用することにより、次のような効果が得られる。
（１）ブレース体の端部をピン接合にするとともに、平鋼からなるブレース本体の弱軸面を矩形状架構面に対して垂直となるように配置することにより、ブレース本体を低い軸力荷重で湾曲変形させ、圧縮軸力の負担を極端に低減させることができるので、圧縮力を回避したブレースとなり、構造架構の耐震性能が向上する。
（２）ブレースに対する地震時における圧縮力の影響が低減されるので、引張力を主体に考慮すればよく、ブレースの設計が容易になる。
（３）ブレース本体の弱軸面を矩形状架構面に対して垂直となるように配置するから、ブレース本体が地震時に湾曲変形した場合でも矩形状架構面内での変形となり、建築物の外壁や内壁等を破壊する可能性が低くなる。
（４）ブレースが設置される構造躯体面（矩形状架構面）は、平鋼の強軸面（板厚面）が正面となるので、圧縮ブレースや同じ断面をもつ形鋼などと比較して、開口面を広く確保することができ、設計上の自由度が高まる。
【図面の簡単な説明】
【００２１】
【図１】本発明のブレースを構成するブレース本体と一対の定着金具の関係を示した斜視図である。
【図２】図１に示す定着金具において、他方の定着金具で使用する張力調節部材を拡大した正面図とＡ−Ａ線断面図である。
【図３】本発明のブレースの使用状態（鉄骨架構との接合構造）を示した正面図である。
【図４】図３のブレースの取付方法を拡大して示した斜視図である。
【図５】本発明のブレースの別の使用状態（鉄骨架構との接合構造）を示した正面図である。
【発明を実施するための形態】
【００２２】  以下、図面を参照しながら本発明に係るブレースの実施形態について説明する。図１は、本発明に係るブレースの構成部材であるブレース本体１と一対の定着金具２，３の斜視図である。ブレース本体１は、横断面が長方形状の平鋼１０からなる。平鋼１０の弱軸面１０ａには、長手方向の両端側にピン孔１１ａ，１１ｂが強軸面１０ｂと平行に形成されるとともに、これらのピン孔１１ａ，１１ｂと軸心を一致させて座金１２が弱軸面１０ａの両面に接合されている。
【００２３】  次に、一対の定着金具２，３について説明する。一方の定着金具２は、後述するプレート接合ピンの外径に一致する内径でＵ字状に屈曲された平鋼２０からなる。平鋼２０の屈曲部２１には、ガセットプレート等のプレート部材を受け入れ可能な幅で平面視長方形状の切溝２２が屈曲部２１の頂部から自由端側に向けて形成されている。屈曲部２１に続く互いに平行な直線部２３，２３には、それらの平坦面に対して直交するようにピン孔２４，２４が形成されるとともに、平行な直線部２３，２３に挟まれた空間にブレース本体１の端部を受け入れ可能になっている。
【００２４】  他方の定着金具３は、張力調節部材３０とその両側に結合される一対の挟持部材３４，３５からなる。図２（ａ）、（ｂ）は、それぞれ拡大した張力調節部材３０の正面図とＡ−Ａ線断面図である。張力調節部材３０は、ボルト本体３１と一対の雌ネジ部材３２，３３で構成される。この場合、ボルト本体３１の右ネジ部３１ａと左ネジ部３１ｂにそれぞれ螺合する一方の雌ネジ部材３２と他方の雌ネジ部材３３は、雌ネジが全長に渡って設けられた円筒状に形成され、それぞれの外周面に挟持部材３４，３５が接合されている。一方の雌ネジ部材３２に結合される一方の挟持部材３４と他方の雌ネジ部材３３に接合される他方の挟持部材３５は、それぞれが雌ネジ部材３２，３３よりも長い２枚１組の平鋼３４ａ，３４ａと３５ａ，３５ａからなり、軸心を挟む対向位置で溶接により一体化されている。さらに、平鋼３４ａ，３４ａと３５ａ，３５ａの自由端側には、ピン孔３４ｂ，３４ｂと３５ｂ，３５ｂが向かい側の平鋼に対してそれぞれ軸心を合わせて形成され、ピン孔３４ｂ，３４ｂの軸心とピン孔３５ｂ，３５ｂの軸心とは直交した位置関係にある。また、ボルト本体３１の中央には、欠円状の工具掛止部３１ｃが設けられている。なお、一対の雌ネジ部材３２，３３は、円筒状に代えて六角形などの多角形状筒体にすることは可能であり、またネジ孔は全ネジ孔でなくともよい。
【００２５】  図３は、本発明のブレースの使用状態（鉄骨架構との接合構造）の一例を示す正面図である。本発明のブレースは、鉄骨梁４１と鉄骨柱４２で構成される鉄骨架構の矩形状架構面４の対角位置に設けた一対のプレート部材である上下のガセットプレート５ａ，５ｂに対して、一方の定着金具２を上側のガセットプレート５ａにプレート接合ピン７を介して接合するとともに、他方の定着金具３も同様に下側のガセットプレート５ｂに対してプレート接合ピン７を介して接合した傾斜状態で設置される。この場合、ブレース本体１（平鋼１０）の弱軸面１０ａが、上下のガセットプレート５ａ，５ｂの面に対して直交状態に配置されるから、強軸面１０ｂは矩形状架構面４と平行になる
【００２６】  図４は、本発明のブレースの取付方法を拡大して示した斜視図である。ブレース本体１の一端側を一方の定着金具２にその自由端側から挿入し、ブレース本体１のピン孔と一方の定着金具２のピン孔２４，２４とを一致させた状態で、ボルト６ａとナット６ｂからなるブレース接合ピン６によりブレース本体１と一方の定着金具２を結合する。その後、一方の定着金具２の屈曲部２１側にある切溝２２を上側のガセットプレート５ａに嵌合させ、屈曲部２１の内側底面をガセットプレート５ａのピン孔５１と一致させた状態で、プレート接合ピン７を挿通して接合する。すなわち、ブレース接合ピン６とプレート接合ピン７とは直交状態となる。なお、プレート接合ピン７は、雌ネジが全長に渡って形成された円筒状部材７ａと、その両側から螺入される一対のボルト７ｂからなるものである。このようにしてブレース本体１の弱軸面１０ａとガセットプレート５ａの面も同様に直交状態となり、ブレース本体１は、その弱軸面１０ａを矩形状架構面４に対して垂直方向に向けた状態で設置されることになる。
【００２７】  ブレース本体１の他端側は、他方の定着金具３の一方の挟持部材３４に対して、その自由端部に挟まれた空間に挿入され、ピン孔３４ｂ，３４ｂとブレース本体１のピン孔１１ｂとが一致した状態（図１参照）で、一端側と同様にボルト６ａとナット６ｂからなるブレース接合ピン６を挿通して接合される。張力調節部材３０の反対側に位置する他方の挟持部材３５は、その自由端部に挟まれた空間を下側のガセットプレート５ｂと嵌合させ、互いのピン孔５１，３５ｂ，３５ｂとを一致させた状態で、プレート接合ピン７により接合される。この場合、一方の挟持部材３４と他方の挟持部材３５とは、中間の張力調節部材３０を介して互いに回転可能であるから、ブレース本体１の弱軸面１０ａを矩形状架構面４に対して垂直に向いた状態を保持するため、初めに一方の定着金具２でブレース本体１の一端側を固定した場合でも、その後の他端側の接合作業に支障は生じない。そして、一対の定着金具２，３がガセットプレート５ａ，５ｂに対してピン接合された後、張力調節部材３０のボルト本体３１を回転させると、雌ネジ部材３２，３３の間隔が狭まり、ブレース本体１に所望の引張軸力を導入することができる。
【００２８】  図５は、本発明に係るブレースの別の使用状態（鉄骨架構との接合構造）を示した正面図である。なお、図３の実施形態と同一部分については同じ符号で示し、重複した説明は省略する。この実施形態では４本のブレースを使用し、張力調節機能を有する他方の定着金具３が、鉄骨梁４１と鉄骨柱４２で構成される鉄骨架構の矩形状架構面４の四隅に設けたガセットプレート５ａ，５ｂ，５ｃ，５ｄにプレート接合ピン７でそれぞれ接合されている。
また、各ブレースにおける一方の定着金具２は、矩形状架構面４の中央において、略矩形状の連結プレート８（プレート部材）に対して同じようにプレート接合ピン７を介して接合され、全体としてＸ形のブレース構造となる。
【００２９】  上記各実施形態に係る接合構造において、ガセットプレート等に端部が結合されるブレース本体１は、地震により引張力が作用すると、ブレース本体１の軸材をなす平鋼１０には引張力が発生する。この引張力に対しては、平鋼１０自身の断面強度で耐えるように設計されている。一方、地震により圧縮力がブレース本体１に作用した場合には、両端側が一対の定着金具２，３とプレート接合ピン７により矩形状架構面４に対してピン接合されるとともに、ブレース本体１（平鋼１０）がその弱軸面１０ａを矩形状架構面４に対して垂直方向に向いた状態で設置されていることにより、ブレース本体１は弱軸面１０ａ側で湾曲変形しようとする。このとき、ブレース本体１の両端に挿通されたプレート接合ピン７の軸心が、ブレース本体１が湾曲する弱軸面１０ａと平行であることから、ブレース本体１の湾曲変形を助長することになる。これにより、ブレース体１に働く圧縮力は非常に小さくなり、本発明のブレースは圧縮力を回避した状態を実現できる。
また、ブレース本体１は、弱軸面１０ａが構造躯体である矩形状架構面４に対し垂直に向いて配置されるから、圧縮力によりブレース本体１が湾曲変形する場合には構造面内での変形となり、ブレース本体１の変形で建築物の外壁や内壁等を破壊する可能性を低減できる。
さらに、ブレースが設置される構造躯体面は、平鋼１０の強軸面１０ｂ（板厚面）が正面となるので、開口面積を、圧縮ブレースや同じ断面をもつ形鋼などと比較して、開口面を広く確保することができる。
【００３０】  以上、実施形態に基づいて本発明の構成とその作用効果について説明したが、本発明は上記実施形態に限定されるものではない。例えば、一方の定着金具２については、屈曲部２１に形成した切溝２２にブレース本体１の端部を挿入し、反対側の自由端部に挟まれた空間にガセットプレート等のプレート部材を挿入した接合構造とすることも可能である。
また、鉄骨柱と鉄骨梁ではなく鉄骨柱とその下端に接合されるベースプレートに跨って設けられたガセットプレートに適用するなど、この発明の技術思想内での種々の変更実施はもちろん可能である
【産業上の利用可能性】
【００３１】  本発明のブレースは、地震時における圧縮力の影響を低減することにより、設計が容易で経済性等にも優れるため、鉄骨建造物等の補強用ブレースとしての利用のさらなる展開が期待される。
【符号の説明】
【００３２】  １：ブレース本体、２，３：定着金具、４：矩形状架構面、５ａ，５ｂ，５ｃ，５ｄ：ガセットプレート、６：ブレース接合ピン、７：プレート接合ピン、８：連結プレート、１０，２０，３４ａ，３５ａ：平鋼、１０ａ：弱軸面、１０ｂ：強軸面、１１ａ，１１ｂ，２４，３４ｂ，３５ｂ，５１：ピン孔、１２：座金、２１：屈曲部、２２：切溝、３０：張力調節部材、３１：ボルト本体、３２，３３：雌ネジ部材、３４，３５：挟持部材、４１：鉄骨梁、４２：鉄骨柱
【図１】
0006497270.tif 000002
【図２】
0006497270.tif 000003
【図３】
0006497270.tif 000004
【図４】
0006497270.tif 000005
【図５】
0006497270.tif 000006